(57)【要約】      （修正有）【課題】自由落下させた物体を利用して発音させることにより視覚的に興趣ある演奏を行う。【解決手段】自由落下する物体２を利用して発音させる発音機構４を備えている。発音機構４としては音板１１ａ〜１４ａを適用することにより、物体２を跳ね返して連続した発音を行うことができる。また、発音体は、音色の異なる複数の発音体で構成され、各発音体が隣接する発音体で反発された物体２が落下する位置に配設されている。さらに、演奏装置１は、前記物体２を所望間隔で１つずつ自由落下させる物体落下制御部３と、該物体落下制御部３から落下された物体２が当接して発音すると共に、当該物体２を落下方向とは異なる方向に反発させる発音体とで構成される発音機構４を備えている。【選択図】図１
2008129305.tif 000002
【特許請求の範囲】
【請求項１】
自由落下する物体を利用して発音させる発音機構を備えたこと特徴とする演奏装置。
【請求項２】
前記発音機構は、発音体上に物体を自由落下させて発音させるように構成されていることを特徴とする請求項１に記載の演奏装置。
【請求項３】
前記発音体は、前記自由落下した物体を反発させて自由落下方向とは異なる方向に反発するように構成されていることを特徴とする請求項２に記載の演奏装置。
【請求項４】
前記発音体は、音色の異なる複数の発音体で構成され、各発音体が隣接する発音体で反発された物体が落下する位置に配設されていることを特徴とする請求項３に記載の演奏装置。
【請求項５】
前記物体を所望間隔で１つずつ自由落下させる物体落下制御部と、該物体落下制御部から落下された物体が当接して発音すると共に、当該物体を落下方向とは異なる方向に反発させる発音体とで構成される発音機構を備えていることを特徴とする演奏装置。
【請求項６】
前記発音機構が並列に複数配設されていることを特徴とする請求項５に記載の演奏装置。
【請求項７】
前記発音体は、音色の異なる複数の発音体で構成され、各発音体が隣接する発音体で反発された物体が落下する位置に配設されていることを特徴とする請求項５又は６に記載の演奏装置。
【請求項８】
前記発音機構は最終段の発音体で反発された物体を回収する物体回収部を備えていることを特徴とする請求項５乃至７の何れか１項に記載の演奏装置。
【請求項９】
前記発音体機構は、最終段の発音体で反発された物体を回収する物体回収部と、該物体回収部で回収した物体を前記物体落下制御部に搬送する物体搬送部とを備えていることを特徴とする請求項５乃至７の何れか１項に記載の演奏装置。
【請求項１０】
前記発音体は鍵盤で構成されていることを特徴とする請求項２乃至９の何れか１項に記載の演奏装置。
【請求項１１】
前記発音体は鋼で構成されていることをと特徴とする請求項２乃至１０の何れか１項に記載の演奏装置。
【請求項１２】
前記発音体は前記物体と接触する表面にＤＬＣコーティング処理が施されていることを特徴とする請求項２乃至１１の何れか１項に記載の演奏装置。
【請求項１３】
前記発音体は、鈴、鐘、太鼓、シンバル、タンバリン等の打楽器で構成されていることを特徴とする請求項２乃至１０の何れか１項に記載の演奏装置。
【請求項１４】
前記発音体は、前記物体の表面硬さより硬い表面硬さを有することを特徴とする請求項２乃至１２の何れか１項に記載の演奏装置。
【請求項１５】
前記発音体の表面硬さはＨｖ１０００以上に選定されていることを特徴とする請求項１４に記載の演奏装置。
【請求項１６】
前記物体はボールで構成されていることを特徴とする請求項１乃至１５の何れか１項に記載の演奏装置。
【請求項１７】
前記ボールは、鋼製ボールで構成されていることを特徴とする請求項１６に記載の演奏装置。
【請求項１８】
前記ボールはベアリングボールで構成されていることを特徴とする請求項１６に記載の演奏装置。
【請求項１９】
前記ボールはセラミックボールで構成されていることを特徴とする請求項１６に記載の演奏装置。
【発明の詳細な説明】
【技術分野】
【０００１】
本発明は、自由落下させた物体を利用して発音させる演奏装置に関する。
【背景技術】
【０００２】
従来、鉄琴や木琴では、鍵盤を手に持ったマレットなどの打撃部材によって叩くことにより演奏するようにしているのが一般的であるが、発音体を断面円形の音棒で構成し、この凸状の局面をハンマーの打撃部で硬度の異なるヘッドにより打撃可能とし、ハンマーを鍵盤の押鍵によって作動させるようにした鍵盤式グロッケンシュピールが提案されている（例えば特許文献１参照）。
【特許文献１】特開平５−１２７６６６号公報（第１頁、図１、図４、図５）
【発明の開示】
【発明が解決しようとする課題】
【０００３】
しかしながら、上記特許文献１に記載の従来例にあっては、鍵盤を押鍵することにより、ハンマーで音棒を叩くことにより、ピアノと同様に演奏することができるものであり、自動ピアノのようにハンマーを電気的に作動させることにより自動演奏を行うことができるが、視覚的に興趣ある演奏を行うことはできないという問題点がある。
そこで、本発明は、上記従来例の問題点に着目してなされたものであり、自由落下させた物体を利用して発音させることにより視覚的に興趣ある演奏を行うことができる演奏装置を提供することを目的としている。
【課題を解決するための手段】
【０００４】
上記目的を達成するために、請求項１に係る演奏装置は、自由落下する物体を利用して発音させる発音機構を備えたこと特徴としている。
また、請求項２に係る演奏装置は、請求項１に係る発明において、前記発音機構は、発音体上に物体を自由落下させて発音させるように構成されていることを特徴としている。
さらに、請求項３に係る演奏装置は、請求項２に係る発明において、前記発音体は、前記自由落下した物体を反発させて自由落下方向とは異なる方向に反発するように構成されていることを特徴としている。
【０００５】
さらにまた、請求項４に係る演奏装置は、請求項２に係る発明において、前記発音体は、音色の異なる複数の発音体で構成され、各発音体が隣接する発音体で反発された物体が落下する位置に配設されていることを特徴としている。
なおさらに、請求項５に係る演奏装置は、前記物体を所望間隔で１つずつ自由落下させる物体落下制御部と、該物体落下制御部から落下された物体が当接して発音すると共に、当該物体を落下方向とは異なる方向に反発させる発音体とで構成される発音機構を備えていることを特徴としている。
【０００６】
また、請求項６に係る演奏装置は、請求項５に係る発明において、前記発音機構が並列に複数配設されていることを特徴としている。
さらに、請求項７に係る演奏装置は、請求項５又は６に係る発明において、前記発音体は、音色の異なる複数の発音体で構成され、各発音体が隣接する発音体で反発された物体が落下する位置に配設されていることを特徴としている。
【０００７】
さらにまた、請求項８に係る演奏装置は、請求項５乃至７の何れか１つに係る演奏装置は、前記発音機構は最終段の発音体で反発された物体を回収する物体回収部を備えていることを特徴としている。
なおさらに、請求項９に係る演奏装置は、請求項５乃至７の何れか１つに係る発明において、前記発音体機構は、最終段の発音体で反発された物体を回収する物体回収部と、該物体回収部で回収した物体を前記物体落下制御部に搬送する物体搬送部とを備えていることを特徴としている。
【０００８】
また、請求項１０に係る演奏装置は、請求項２乃至９の何れか１つに係る発明において、前記発音体は鍵盤で構成されていることを特徴としている。
さらに、請求項１１に係る演奏装置は、請求項２乃至１０の何れか１つの発明において、前記発音体は鋼で構成されていることをと特徴としている。
さらに、請求項１２に係る演奏装置は、請求項２乃至１１の何れか１つの発明において、前記発音体は前記物体と接触する表面にＤＬＣコーティング処理が施されていることを特徴としている。
【０００９】
さらにまた、請求項１３に係る演奏装置は、請求項２乃至１０に係る発明において、前記発音体は、鈴、鐘、太鼓、シンバル、タンバリン等の打楽器で構成されていることを特徴としている。
なおさらに、請求項１４に係る演奏装置は、請求項２乃至１２の何れか１つに係る発明において、前記発音体は、前記物体の表面硬さより硬い表面硬さを有することを特徴としている。
【００１０】
また、請求項１５に係るにおいては、請求項１４に係る発明において、前記発音体の表面硬さはＨｖ１０００以上に選定されていることを特徴としている。
また、請求項１６に係る演奏装置は、請求項１乃至１５の何れか１つに係る発明において、前記物体はボールで構成されていることを特徴としている。
さらに、請求項１７に係る演奏装置は、請求項１６に係る発明において、前記ボールは、鋼製ボールで構成されていることを特徴としている。
【００１１】
さらにまた、請求項１８に係る演奏装置は、請求項１６に係る発明において、前記ボールはベアリングボールで構成されていることを特徴としている。
なおさらに、請求項１９に係る演奏装置は、請求項１６に係る発明において、前記ボールはセラミックボールで構成されていることを特徴としている。
【発明の効果】
【００１２】
本発明によれば、自由落下させるボール等の物体を利用して発音する発音機構を備えた演奏装置とすることで、物体の落下に伴って発音させることにより、視覚的に興趣ある演奏を行うことができるという効果が得られる。
ここで、物体を発音体上に自由落下させることにより発音を得ることができるので、音色の異なる発音体を複数設けて、これら発音体上を物体が撥ねながら移動させることにより、次々に発音させて視覚的に興趣ある演奏を行うことができるという効果が得られる。
【００１３】
しかも、物体と発音体とで構成される発音機構を並列に複数設けることにより、より多くの音色を奏でることができる。
発音体に自由落下させる物体としては発音体に当接するまでの落下軌跡及び当接してから跳ね上がる軌跡が常に一定となる真円度の高いボール例えばベアリングボールが好ましく、発音体としては物体の当接によって摩耗を生じないように、物体の表面硬さより硬い表面硬さに選定することが望ましい。
【発明を実施するための最良の形態】
【００１４】
以下、本発明の実施の形態を図面に基づいて説明する。
図１は、本発明の一実施形態を示す全体構成図であって、図中、１は演奏装置であって、この演奏装置１は、物体としてのベアリングボール２の自由落下タイミング、落下軌跡等を設定する落下制御部３と、この落下制御部３から自由落下されたベアリングボール２によって発音する発音機構４とを備えている。
【００１５】
ここで、ベアリングボール２は軸受鋼（ＳＵＪ）で硬さがＨＲＣ６２程度となるように形成されている。
また、落下制御部３は、基台５に配設された所定高さの架台６と、この架台６上に図２で見て左右方向に所定間隔を保って並列に配設されたベアリングボール２を案内する所定角度θで前下がりに傾斜された複数例えば４個の傾斜樋７ａ〜７ｄと、これら傾斜樋７ａ〜７ｄの前端位置に配設された１つのベアリングボール２を係止する傾斜樋７ａ〜７ｄ内に入出可能に設けられたシャッター板を電磁的に開閉する落下制御用電磁シャッター部８ａ〜８ｄと、これら電磁シャッター部８ａ〜８ｄの上流側にベアリングボール２の直径を越え直径の１．５倍未満の距離分離れて配設された同様に傾斜樋７ａ〜７ｄ内に入出可能に設けられたシャッター板を電磁的に開閉する保持用電磁シャッター９ａ〜９ｄとを備えている。
【００１６】
ここで、保持用電磁シャッター９ａ〜９ｄの夫々は、シャッターを開状態としてベアリングボール２を落下制御用電磁シャッター８ａ〜８ｄに先頭のベアリングボール２を当接させた状態で、シャッターを閉状態としたときに、先頭のベアリングボール２に続く２番目のベアリングボール２を上流側に押し戻して、保持用電磁シャッター９ａ〜９ｄと落下制御用電磁シャッター８ａ〜８ｄとの間に１つのベアリングボール２のみが押圧されることなく保持されるように構成されている。このため、落下制御用電磁シャッター８ａ〜８ｄを開状態とすることにより、保持されている１つのベアリングボール２が自由落下する。
【００１７】
また、発音機構４は、落下制御用電磁シャッター部８ａ〜８ｄを開状態としたときに自由落下するベアリングボールの自由落下軌跡Ｌ１が丁度前後左右の中央位置となるように配置された発音体としての第１の音板１１ａ〜１１ｄと、これら第１の音板１１ａ〜１１ｄで跳ね返されたベアリングボール２の放物線軌跡Ｌ２を描いて落下する位置が丁度前後左右の中央位置となるように配置された発音体としての第２の音板１２ａ〜１２ｄと、これら第２の音板１２ａ〜１２ｄで跳ね返されたベアリングボール２の放物線軌跡Ｌ３を描いて落下する位置が丁度前後左右の中央位置となるように配置された発音体としての第３の音板１３ａ〜１３ｄと、これら第３の音板１３ａ〜１３ｄで跳ね返されたベアリングボール２の放物線軌跡Ｌ４を描いて落下する位置が丁度前後左右方向の中央位置となるように配置された発音体としての第４の音板１４ａ〜１４ｄとを有する。
【００１８】
ここで、第１〜第４の音板１１ａ〜１４ａで第１の音板列１５ａが形成され、第１〜第４の音板１１ｂ〜１４ｂで第２の音板列１５ｂが形成され、第１〜第４の音板１１ｃ〜１４ｃで第３の音板列１５ｃが形成され、第１〜第４の音板１１ｄ〜１４ｄで第４の音板列１５ｄが形成されている。
また、各音板列１５ａ〜１５ｄにおける第１〜第４の音板１１ａ〜１４ｄは、工具鋼（ＳＫ）で矩形板状に形成され、焼入れ処理によりＨＲＣ５５以上に設定されている。これら各音板１１ａ〜１４ｄは、少なくともベアリングボール２が当接する表面に硬く滑らかな表面となるＤＬＣ（Ｄｉａｍｏｎｄ−Ｌｉｋｅ  Ｃａｒｂｏｎ）コーティング処理が施されており、表面硬度はＨｖ１０００以上となっている。
【００１９】
これら各音板１１ａ〜１４ｄは、ベアリングボール２が落下して当接したときに夫々異なる音色（周波数）の発音が得られるようにその長さが設定されている。これら音板１１ａ〜１４ｄの長さは、低い音ほど長い長さに設定される。
これら音板１１ａ〜１４ｄは、図３に示すように、基台５に所定長さ分離間されて固設された高さが等しい２本のアルミニウム製の支柱２１ａ及び２１ｂの上端にゴム、ウレタン、フェルト、布等の弾性体２２を介してビス等によって固定されている。
【００２０】
さらに、各音板列１５ａ〜１５ｄにおける第４の音板１４ａ〜１４ｄで跳ね返されたベアリングボール２が放物線軌跡Ｌ５を描いて落下する位置に吸音効果及び制振効果を有する漏斗状のボール回収部３１ａ〜３１ｄが配設されている。
各ボール回収部３１ａ〜３１ｄで回収されたベアリングボール２は、各ボール回収部３１ａ〜３１ｄの下側に形成された例えばボール回収部３１ｄからボール回収部３１ａ側に行くに従って徐々に下降する傾斜樋３２を通じ、さらにボール回収部３１ａから落下制御部３の下側に行くに従い下降する傾斜樋３３を通じて落下制御部３の傾斜樋７ａ〜７ｄにおける最上段の下側位置まで搬送される。
【００２１】
そして、傾斜樋３３で搬送されたベアリングボール２は、上方に搬送する揚送機構３４で上方に揚送され、さらに揚送機構３４の上端から吐き出されるベアリングボール２を分配部３５で分配して落下制御部３の各傾斜樋７ａ〜７ｄに搬送する。
ここで、揚送機構３４としては、図４に示すように、内周面にフェルト、不織布等の摩擦抵抗を有する接触布３４ａを配置した円筒体３４ｂと、この円筒体３４ｂ内に配設された外周面にベアリングボール２が接触布に接触するように保持する螺旋溝３４ｃを形成した回転体３４ｄと、この回転体３４ｄを回転駆動する電動モータ３４ｅとを有し、傾斜樋３３から送給されたベアリングボール２を回転体３４ｄの螺旋溝３４ｃに導入することにより、回転体３４ｄの回転に応じてベアリングボール２が螺旋溝３４ｃを伝って上方に揚送され、螺旋溝３４ｃの上端からベアリングボール２が分配部３５に導入される。
【００２２】
分配部３５では、揚送機構３４から導入されたベアリングボール２を各傾斜樋７ａ〜７ｄに搬送する搬送通路３６と、この搬送通路３６を通過するベアリングボール２を検出するボールセンサ３７と、このボールセンサ３７でベアリングボール２を検出する毎に、順次、傾斜樋７ａ〜７ｄに１つずつ配分する電磁シャッター３８ａ〜３８ｃとを備えており、搬送通路３６を通過するベアリングボール２を各傾斜樋７ａ〜７ｄに均等に配分する。
【００２３】
そして、落下制御部３及び分配部３５が、図示しないマイクロコンピュータ等で構成される制御装置によって駆動制御される。
次に、上記実施形態の動作を説明する。
今、落下制御部３の各傾斜樋７ａ〜７ｄの落下制御用電磁シャッター８ａ〜８ｄ及び保持用電磁シャッター９ａ〜９ｄが閉じており、落下制御用電磁シャッター８ａ〜８ｄと保持用電磁シャッター９ａ〜９ｄとの間に１個のベアリングボール２が保持されており、保持用電磁シャッター９ａ〜９ｄの上流側の傾斜樋７ａ〜７ｄに所要数のベアリングボール２が貯留されているものとする。
【００２４】
この状態で、先ず、落下制御用電磁シャッター８ａを開状態に制御することにより、保持されていた１個のベアリングボール２が傾斜樋７ａ〜７ｄから自由落下して第１の音板１１ａ上に落下し、この第１の音板１１ａで跳ね返される。このため、第１の音板１１ａで音板の長さに応じた音階の発音が行われる。
そして、各第１の音板１１ａで跳ね返されたベアリングボール２は第２の音板１２ａ上に落下し、この第２の音板１２ａで跳ね返される。このため、第２の音板１２ａで音板の長さに応じた音階の発音が行われる。
【００２５】
その後、同様に、ベアリングボール２が第３の音板１３ａ及び第４の音板１４ａに落下して跳ね返され、これら第３の音板１３ａ及び第４の音板１４ａで次々と音板の長さに応じた音階の発音が行われる。
そして、第４の音板１４ａで跳ね返されたベアリングボール２はボール回収部３１ａ〜３１ｄ内に回収され、傾斜樋３２及び３３を通じて揚送機構３４で上方に揚送されて分配部３５に導入される。
【００２６】
この分配部３５では、搬送通路３６にベアリングボール２が受け渡されと、これがボールセンサ３７で検出されることにより、最初は例えば全ての電磁シャッター３８ａ〜３８ｃが開状態とされて搬送通路３６を転がるベアリングボール２が傾斜樋７ｄに搬送され、次のベアリングボール２がボールセンサ３７で検出されると、第３の電磁シャッター３８ｃが閉状態に制御されて、搬送通路３６を転がるベアリングボール２が傾斜樋７ｃに搬送され、その後ボールセンサ３７でベアリングボール２を検出する毎に電磁シャッター３８ｂ及び３８ａが閉じて搬送通路３６を転がるベアリングボール２が傾斜樋７ｂ及び７ａに搬送される。
【００２７】
一方、第４の音板１４ａで跳ね返されたベアリングボール２がボール回収部３１ａに回収されるまでの間に、傾斜樋７ｂの落下制御用電磁シャッター７ｂが開状態に制御されることにより、この傾斜樋７ｂからベアリングボール２が自由落下されて第１の音板１１ｂで跳ね返されるので、この第１の音板１１ｂで音板の長さに応じた音階の発音が行われ、以下順次第２の音板１２ｂ、第３の音板１３ｂ及び第４の音板１４ｂで夫々所望の音階の発音が行われ、その後、傾斜樋７ｃ及び７ｄから順次ベアリングボール２が第１の音板１１ｃ及び１１ｄに自由落下されて、第３の音板列１５ｃ及び第４の音板列１５ｄで、順次第１の音板１１ｃ〜第４の音板１４ｃ及び第１の音板１１ｄ〜第４の音板１４ｄで音板の長さに応じた音階の発音が行われることにより、例えば４／４拍子で４小節のメロディを繰り返し自動演奏することができる。
【００２８】
このとき、傾斜樋７ａ〜７ｄから順次ベアリングボール２が第１の音板１１ａ〜１１ｄ上に自由落下されて発音され、次いでベアリングボール２が第２の音板１２ａ〜１２ｄ上に落下されて発音されることを繰り返して、第３及び第４の音板１３ａ〜１３ｄ及び１４ａ〜１４ｄで発音が行われるので、ベアリングボール２の跳ね返り状態が聴衆に視認されるので、興趣ある演奏を行うことができる。
【００２９】
また、音板１１ａ〜１４ｄがベアリングボール２より硬い材質で形成されているので、繰り返しの演奏で音板１１ａ〜１４ｄが摩耗することを抑制することができ、ベアリングボール２の放物線規制の変化を抑制することができる。しかも、音板１１ａ〜１４ｄの少なくともベアリングボール２の当接面をＤＬＣコーティング処理しているので、ベアリングボール当接面を高硬度に維持することができると共に、平滑面としてベアリングボール２の放物線軌跡を一定とすることができる。
【００３０】
さらに、自由落下する物体としてベアリングボール２を適用しているので、真球度の高いボールを使用することができ、音板１１ａ〜１４ｄで跳ね返ったときの放物線軌跡を一定とすることができる。
さらに、ベアリングボール２の硬度がＨＲＣ６２程度に設定され、音板１１ａ〜１４ｄの表面硬度がＨｖ１０００以上に設定されているので、音板１１ａ〜１４ｄでのベアリングボール２を跳ね返したときの放物線軌跡を理論的な軌跡に近い状態として音板１１ａ〜１４ｄの配置設計を容易に行うことができる。
【００３１】
さらにまた、音板１１ａ〜１４ｄが弾性体３２を介して支柱３１ａ及び３１ｂに支持されているので、音板１１ａ〜１４ｄにベアリングボール２が当接したときに発する発音が長く継続することを抑制して歯切れのよい音色を発することができる。
なお、上記実施形態においては、傾斜樋７ａ〜７ｄからベアリングボール２を自由落下させて水平に配設された第１の音板１１ａ〜１１ｄで跳ね返すようにした場合について説明したが、これに限定されるものではなく、傾斜樋７ａ〜７ｄを垂直状態として、ベアリングボール２を下方に自由落下させ、これに応じて第１の音板１１ａ〜１１ｄを図１で見て右下がりに傾斜させることにより、ベアリングボール２を跳ね返して図１と同様の放物線軌跡を描いて第２の音板１２ａ〜１２ｄ上に落下させることができる。
【００３２】
また、上記実施形態においては、ベアリングボール２を第１〜第４の音板１１ａ〜１４ｄで傾斜樋７ａ〜７ｄの延長方向に順次跳ね返すようにした場合について説明したが、これに限定されるものではなく、傾斜樋７ａ〜７ｄの延長方向とは交差する方向に順次跳ね返すようにしてもよい。
さらに、上記実施形態においては、第１の音板列１５ａ〜第４の音板列１５ｄで順番に発音させる場合について説明したが、これに限定されるものではなく、例えば傾斜樋７ａ〜７ｃから同時にベアリングボール２を自由落下させて第１〜第３の音板列１５ａ〜１５ｃで和音を発生させるようにしてもよく、傾斜樋７ａ〜７ｄからのベアリングボール２の自由落下を任意の順序で行うようにしてもよい。
【００３３】
さらにまた、上記実施形態においては、４列４段の音板１１ａ〜１４ｄを配置した場合について説明したが、列数及び段数は任意に設定することができると共に、ベアリングボール２の自由落下タイミングも自由に設定することができる。
なおさらに、上記実施形態においては、自由落下させる物体としてベアリングボールを適用した場合について説明したが、これに限定されるものではなく、高硬度の鋼球、セラミックボール等の任意のボールを適用することができ、発音体での跳ね返り方向が一定となるものであれば、任意の物体を適用することができる。
【００３４】
また、上記実施形態においては、発音体として工具鋼（ＳＫ）製の音板１１ａ〜１４ｄを適用した場合について説明したが、これに限定されるものではなく、自由落下する物体より硬いものであれば、物体の繰り返しの跳ね返しによる摩耗を抑制することができ、摩耗による物体の移動軌跡変化を抑制することができる。
さらに、上記実施形態においては、第４の音板１４ａ〜１４ｄで跳ね返ったベアリングボール２をボール回収部３１ａ〜３１ｄで回収して傾斜樋７ａ〜７ｄに戻す回収機構を形成した場合について説明したが、これに限定されるものではなく、傾斜樋７ａ〜７ｄに戻す回収機構を省略して、傾斜樋７ａ〜７ｄの上流側にベアリングボール２を貯留する貯留部を形成し、ボール回収部３１ａ〜３１ｄの下側に回収したベアリングボール２を貯留する貯留部を形成するようにしてもよい。
【００３５】
さらにまた、上記実施形態においては、音板１１ａ〜１４ｄで直接発音させる場合について説明したが、これに限定されるものではなく、木琴や鉄琴のように共鳴具を配置するようにしてもよい。
さらにまた、上記実施形態においては、発音体として音板１１ａ〜１４ｄを適用した場合について説明したが、これに限定されるものではなく、鈴、鐘、シンバル、タンバリン等の打楽器で構成するようにしてもよく、鈴、鐘の場合には自由落下する物体を、放物線軌跡を描いて跳ね返すことが困難であるので、第１の発音体のみを設けるようにすればよい。
【００３６】
なおさらに、揚送機構３４としては、上記構成に限定されるものではなく、バケットコンベア等の任意の揚送機構を適用することができ、ボール回収部３１ａ〜３１ｄ、傾斜樋３２，３３、揚送機構３４及び分配部３５で構成されるボール回収機構も上記実施形態に限定されるものではなく、任意のボール回収機構を適用することができる。
【図面の簡単な説明】
【００３７】
【図１】本発明に係る演奏装置の一実施形態を示す正面図である。
【図２】図１の平面図である。
【図３】音板の構成を示す拡大図である。
【図４】揚送機構を示す一部を断面とした正面図である。
【符号の説明】
【００３８】
１…演奏装置、２…ベアリングボール、３…落下制御部、４…発音機構、７ａ〜７ｄ…傾斜樋、８ａ〜８ｄ…落下制御用電磁シャッター、９ａ〜９ｄ…保持用電磁シャッター、１１ａ〜１１ｄ…第１の音板、１２ａ〜１２ｄ…第２の音板、１３ａ〜１３ｄ…第３の音板、１４ａ〜１４ｄ…第４の音板、１５ａ…第１の音板列、１５ｂ…第２の音板列、１５ｃ…第３の音板列、１５ｄ…第４の音板列、２１ａ，２１ｂ…支柱、２２…弾性体、３１ａ〜３１ｄ…ボール回収部、３２，３３…傾斜樋、３４…揚送機構、３５…分配部
【図１】
2008129305.tif 000003
【図２】
2008129305.tif 000004
【図３】
2008129305.tif 000005
【図４】
2008129305.tif 000006